(57)【要約】【課題】選択された設備を示すシンボルと、異常のあった設備を示すシンボルとを見誤りを誘発しない表示であって、視認し易く且つ、見落としにくい表示を行う。【解決手段】設備の状態情報から設備の異常を検知し、検知した異常が発生している設備を特定する異常／故障検知部２と、特定された設備を示すシンボルを中心とした円領域において、系統図の背景色を変化させるスポットライト表示を行う異常／故障強調表示処理部３と、系統図に表示された設備を示すシンボルに対して入力された選択操作を検知する操作検知部４と、選択操作が検知されたシンボルを含む所定領域内に円の中心が位置する２つの同心円によって区切られるリング状領域において、系統図の背景色を変化させるリング表示を行う操作領域表示処理部６とを備える。【選択図】図２
2014109804.tif 000002
【特許請求の範囲】
【請求項１】
監視領域内に複数配置された設備間の接続状態を示した系統図を生成する系統表示処理部と、前記系統表示処理部が生成した系統図を表示する表示部とを備えた表示装置において、
前記設備の運転状態を示す状態情報を取得する情報取得部と、
前記情報取得部が取得した前記設備の状態情報から前記設備の異常を検知し、検知した異常が発生している設備を特定する異常検知部と、
前記異常検知部が特定した設備を示すシンボルを中心とした円領域において、前記系統図の背景色を変化させるスポットライト表示を行う異常強調表示処理部と、
前記系統図に表示された設備を示すシンボルに対して入力された選択操作を検知する操作検知部と、
前記操作検知部が選択操作を検知した前記シンボルを含む所定領域内に円の中心が位置する２つの同心円によって区切られるリング状領域において、前記系統図の背景色を変化させるリング表示を行う操作領域表示処理部とを備え、
前記系統表示処理部は、前記系統図に前記スポットライト表示および前記リング表示を反映させる表示処理を行うことを特徴とする表示装置。
【請求項２】
前記操作検知部が選択操作を検知した前記シンボルの表示画像の重心点を、前記リング表示を構成する２つの同心円の中心とするリング表示位置決定部を備えたことを特徴とする請求項１記載の表示装置。
【請求項３】
前記位置検知部が異常を検知した設備と、前記操作検知部が選択操作を検知した設備の判別を行い、前記異常が検知された設備と前記選択操作された設備とが同一であった場合に、前記リング表示を構成する２つの同心円のうち小径を有する円の直径を、前記スポットライト表示を構成する前記円領域の直径よりも大きい値に設定するリング内径決定部を備え、
前記系統図表示処理部は、前記スポットライト表示を構成する円領域の中心と、前記リング表示を構成する２つの同心円の中心とを前記設備を示すシンボルに一致させて表示することを特徴とする請求項１または請求項２記載の表示装置。
【請求項４】
前記リング内径決定部は、前記異常検知部が異常を検知した設備と、前記操作検知部が選択操作を検知した設備の判別を行い、前記異常が検知された設備と前記選択操作された設備とが異なる場合に、前記リング表示を構成する２つの同心円のうち小径を有する円の直径を、前記スポットライト表示を構成する前記円領域の直径よりも小さい値に設定することを特徴とする請求項３記載の表示装置。
【請求項５】
前記リング内径決定部が設定した前記小径を有する円の直径に対して一定のリング幅を加算した値を、前記リング表示を構成する２つの同心円のうち大径を有する円の直径とするリング外径決定部を備えたことを特徴とする請求項３または請求項４記載の表示装置。
【請求項６】
前記リング表示処理部は、前記異常検知部が異常を検知した設備と、前記操作検知部が選択操作を検知した設備とを比較し、前記異常が検知された設備と選択操作された設備とが同一でなく、且つ前記異常が検知された設備を示すシンボルと前記選択操作された設備を示すシンボルとの離間距離が閾値以下である場合に、前記スポットライト表示と前記リング表示との重複領域において、前記リング表示の表示色を変更する表示調整、または前記リング表示を行わない表示調整を行う重複領域調整部を備えたことを特徴とする請求項１から請求項５のうちのいずれか１項記載の表示装置。
【請求項７】
前記操作検知部が選択操作を検知した設備に関する設備情報および前記状態情報を表示する表示領域、および前記設備に対する入力操作を受け付ける操作領域のうち少なくともいずれか一方を表示する情報領域表示処理部を備えたことを特徴とする請求項１から請求項６のうちのいずれか１項記載の表示装置。
【請求項８】
監視領域内に複数配置された設備間の接続状態を示した系統図を画面上に表示する表示方法において、
情報取得部が、前記設備の運転状態を示す状態情報を取得するステップと、
異常検知部が、前記設備の状態情報から前記設備の異常を検知し、検知した異常が発生している設備を特定するステップと、
異常強調表示処理部が、前記異常が発生していると特定した設備を示すシンボルを中心とした円領域において、前記系統図の背景色を変化させるスポットライト表示を行うステップと、
操作検知部が、前記系統図に表示された設備を示すシンボルに対する選択操作を検知するステップと、
操作領域表示処理部が、前記選択操作を検知した前記シンボルを含む所定領域内に円の中心が位置する２つの同心円によって区切られるリング状領域において、前記系統図の背景色を変化させるリング表示を行うステップと、
系統表示処理部が、前記系統図に前記スポットライト表示および前記リング表示を反映させる表示処理を行うステップとを備えたことを特徴とする表示方法。
【発明の詳細な説明】
【技術分野】
【０００１】
この発明は、監視制御システムなどにおいて異常状態などを表示する表示装置および表示方法に関するものである。
【背景技術】
【０００２】
例えば、電力系統監視制御システムでは、表示装置に電力の流れ（系統）を模式的に示した電力系統図が表示され、操作者は当該表示装置の表示内容を視認して送電状態や設備状態を監視し、各設備の操作を行う。特定の設備の状態を確認したり、特定の設備の状態を変更する際、操作者は表示装置に表示された電力系統図上に配置された設備を示す複数のシンボルの中から目的の設備を示すシンボルを選択する。表示装置は、選択されたシンボルを、平常時とは異なる表現を強調して表示し、当該シンボルが選択中であることを明示する。
【０００３】
図１６は、従来の系統図における表示方法を示す図である。系統図として電力系統図が表示されているものとして説明を行う。
操作者が電力系統図上の設備を示すシンボル９１，９２を選択した場合、シンボル９１では、選択されたシンボルの表示色を変更して強調表示を行っている。また、シンボル９２では、選択されたシンボルを中心とした円内の背景色を変更して強調表示（スポットライト９３）を行っている。なお、以下ではシンボル９２のように選択されたシンボルを中心とした円内の背景色を変更した表示を、スポットライト表示と称する。
【０００４】
一方、電力系統の監視制御システムでは、落雷など突発的に発生する事象に対して短時間で速やかに状況を把握し、速やかに対処のための操作を行う必要がある。そのため、操作者が選択した設備を示すシンボルの強調表示のみではなく、故障や異常が検出された設備を示すシンボルを強調表示する必要がある。このように複数の状況に対応してそれぞれ異なる強調表示を行う方法が、例えば特許文献１および特許文献２に開示されている。
【０００５】
特許文献１には、設備の運転状態をシンボルの表示色の色変えを行うことによって明示すると共に、当該設備が選択された場合にはシンボルにフリッカ表現を用いる表示方法が開示されている。ここで、フリッカ表現とは、シンボルの表示色を点滅させる、あるいはシンボルを２色間で色変えを行いながら継続して点灯させるものである（図１６におけるシンボル９４参照）。
また、特許文献２には、異常が発生した設備のシンボルの背景を明るく表示するスポットライト表示を行う表示方法が開示されている（図１６におけるスポットライト９５参照）。
【先行技術文献】
【特許文献】
【０００６】
【特許文献１】特開平６−１９６５７号公報
【特許文献２】特開平１０−１８７２３３号公報
【発明の概要】
【発明が解決しようとする課題】
【０００７】
しかしながら、上述した特許文献１に記載された表示方法では、変化する領域面積が小さく変化が少ないため、設備の運転状態や設備の選択／非選択を認識し難いという課題があった。また、色の違いのみで強調表現を行った場合、設備の選択／非選択の弁別や設備の正常／異常の弁別を行うことが困難になるという課題があった。
【０００８】
また、上述した特許文献２に記載された表示方法では、選択された設備のシンボルと異常が発生した設備のシンボルとの差異を明示する場合には、図１６におけるスポットライト９３およびスポットライト９５のように、背景の表示色を変化させて弁別させる。しかし、色の違いのみの場合、設備の選択を示すシンボルはどちらか、設備の異常を示すシンボルはどちらか弁別することが困難になるという課題があった。
【０００９】
この発明は、上記のような課題を解決するためになされたもので、表示装置上で選択された設備を示すシンボルと、異常のあった設備を示すシンボルとを見誤りを誘発しない表示であって、視認し易く、且つ見落としにくい表示を行うことを目的とする。
【課題を解決するための手段】
【００１０】
この発明に係る表示装置は、設備の運転状態を示す状態情報を取得する情報取得部と、情報取得部が取得した設備の状態情報から設備の異常を検知し、検知した異常が発生している設備を特定する異常検知部と、異常検知部が特定した設備を示すシンボルを中心とした円領域において、系統図の背景色を変化させるスポットライト表示を行う異常強調表示処理部と、系統図に表示された設備を示すシンボルに対して入力された選択操作を検知する操作検知部と、操作検知部が選択操作を検知したシンボルを含む所定領域内に円の中心が位置する２つの同心円によって区切られるリング状領域において、系統図の背景色を変化させるリング表示を行う操作領域表示処理部と、系統図にスポットライト表示およびリング表示を反映させる表示処理を行う系統表示処理部とを備えるものである。
【発明の効果】
【００１１】
この発明によれば、選択された設備と異常が発生した設備とを見誤ることなく容易に弁別することができ、さらに各設備を見落とすことなく容易に視認することができる。
【図面の簡単な説明】
【００１２】
【図１】実施の形態１による表示装置の表示例を示す図である。
【図２】実施の形態１による表示装置の構成を示すブロック図である。
【図３】実施の形態１による表示装置の動作を示すフローチャートである。
【図４】実施の形態２による表示装置の構成を示すブロック図である。
【図５】実施の形態２による表示装置の動作を示すフローチャートである。
【図６】実施の形態３による表示装置の表示例を示す図である。
【図７】実施の形態３による表示装置の構成を示すブロック図である。
【図８】実施の形態３による表示装置の動作を示すフローチャートである。
【図９】実施の形態４による表示装置の動作を示すフローチャートである。
【図１０】実施の形態５による表示装置の表示例を示す図である。
【図１１】実施の形態５による表示装置の構成を示すブロック図である。
【図１２】実施の形態５による表示装置の動作を示すフローチャートである。
【図１３】実施の形態６による表示装置の表示例を示す図である。
【図１４】実施の形態６による表示装置の構成を示すブロック図である。
【図１５】実施の形態６による表示装置の動作を示すフローチャートである。
【図１６】従来の系統図における表示例を示す図である。
【発明を実施するための形態】
【００１３】
実施の形態１．
図１は、この発明の実施の形態１による表示装置の表示例を示す図である。
なお、以下では、本発明の表示装置を電力系統監視システムに用い、当該表示装置の画面上に電力系統図が表示される場合を例に説明を行うが、電力系統に限定されることなく、例えば配管など他の分野の監視システム、あるいは制御システムにも当該表示装置を適用することが可能である。この点は他の実施の形態においても同様である。
【００１４】
図１では表示装置の画面上に表示された電力系統図を示している。電力系統図２０には、電力系統線２１、各設備を示す設備シンボル２２および設備名称２３などが表示されている。さらに、実施の形態１の表示装置における特徴的な表示として、操作者の入力操作により選択された設備を示す設備シンボルの周囲にリング表示２４を行い、異常が発生した設備を示す設備シンボルを中心としたスポットライト表示２５を行う。
【００１５】
リング表示２４は、図１に示すように内径がそれぞれ異なる２つの同心円によって区切られるリング状の表示領域である。以下では、２つの同心円のうち内側に位置し、小径を有する円を内縁部２４ａとし、２つの同心円のうち側に位置し、大径を有する円を外縁部２４ｂとして説明を行う。リング表示２４は、内径の異なる２つの同心円で構成されるため、内縁部２４ａと外縁部２４ｂは所定のリング幅２４ｃで離間している。リング表示２４の表示色は、電力系統図２０の背景よりも暗く設定されている。背景色との差異により、内縁部２４ａより内側に位置する設備シンボル２２ａが選択されている旨を示す。図１では、設備シンボル２２ａが内縁部２４ａの中心に位置する配置を示したが、内縁部２４ａ内に設備シンボル２２ａが含まれていればよく、リング表示２４の配置位置は限定されない。
【００１６】
スポットライト表示２５は、異常や故障が発生している設備を示す設備シンボル２２ｂから所定距離内において直径２５ａを有する円形状の表示領域である。スポットライト表示２５の表示色は、電力系統図２０の背景よりも明るく設定されている。背景色との差異により、スポットライト表示２５の中心付近に位置する設備シンボル２２ｂが示す設備に異常や故障が発生している旨を示す。図１に示すように、スポットライト表示２５は、当該スポットライト表示２５の中心が設備シンボル２２ｂの中心と一致するように配置されることを前提とするが、当該配置位置に限定されるものではない。
【００１７】
また、スポットライト表示２５の直径２５ａは適宜設定可能であるが、同一の設備シンボル２２ｂに対してリング表示２４およびスポットライト表示２５を併用する場合が存在する点を考慮すると、スポットライト表示２５の外周２５ｂが、リング表示２４の内縁部２４ａに接する値を最大値として設定するのが望ましい。
【００１８】
このように、設備が選択された場合と、設備に異常または故障が発生した場合とにおいて、それぞれ異なる表示方法を用いて対象となる設備シンボルを明示する。これにより、電力系統監視システムの操作者は自ら選択した設備シンボルと、異常または故障が発生した設備シンボルとを見誤ることなく、容易に弁別することができる。
【００１９】
次に、図１で示した表示を行う表示装置の構成について説明する。
図２は、この発明の実施の形態１による表示装置の構成を示すブロック図である。
実施の形態１の表示装置１０は、情報取得部１、異常／故障検出部（異常検知部）２、異常／故障強調表示処理部（異常強調表示処理部）３、操作検知部４、リング表示処理部５、操作領域表示処理部（情報領域表示処理部）６、系統表示処理部７および表示部８で構成される。
情報取得部１は、電力系統監視システム側から入力される系統情報、電力系統の監視値やエラー情報などを含む設備状態情報を取得する。エラー情報は、電力系統監視システム側でエラーと判定された情報、およびエラーと判定された位置を特定した位置情報（設備名称など）などが含まれる。エラーとの判定は、異常な値を検出した場合、あらかじめ設定された所定の状態を検出した場合、および通信異常を検出した場合などに行われる。
【００２０】
異常／故障検出部２は、情報取得部１が取得した設備状態情報を参照してエラー情報の検知を行い、エラー情報を検知した場合には位置情報に基づいて異常または故障が発生している設備の特定を行う。異常／故障強調表示処理部３は、異常／故障検出部２が特定した設備を示す設備シンボルを中心とした、背景の表示色よりも明るい表示色を有する円形形状をスポットライト表示２５として描画する表示処理を行う。
【００２１】
操作検知部４は、マウスによるクリック、マウスの示すカーソルがある位置において無動作で一定時間経過、あるいはタッチパネルへのタッチ操作などにより、操作者の入力操作を検知するものであって、特に設備シンボルの選択指示が入力された場合に、当該選択指示を後段のリング表示処理部５に出力する。なお、入力手段としてマウスやタッチパネルを例に挙げたが、これらに限定されるものではない。リング表示処理部５は、操作検知部４を介してある設備シンボルの選択指示が入力された場合に、選択された設備シンボルの外周に、背景の表示色よりも暗い表示色を有する環状形状をリング表示２４として描画する表示処理を行う。
【００２２】
操作領域表示処理部６は、リング表示処理部５から入力される設備シンボルの選択指示に基づいて、電力系統制御システム側から送信される情報（不図示）、あるいはデータベース（不図示）などを参照し、選択された設備シンボルに対して開示すべき情報が存在する場合に当該開示すべき情報を表示する領域を描画する表示処理を行う。情報を表示する領域の描画としては、ウィンドウの表示、吹き出しの表示、ポップアップの表示、操作部などの表示領域の表示などが挙げられる。
【００２３】
系統表示処理部７は、情報取得部１が取得した系統情報を参照して電力系統図を描画して表示を行うと共に、異常／故障強調表示処理部３、リング表示処理部５および操作領域表示処理部６から表示処理情報が入力される場合には、表示した電力系統図上にこれらの表示処理情報を反映させる表示処理を行う。表示部８は、ディスプレイなどで構成され、系統表示処理部７の表示処理に基づいて電力系統図をディスプレイ上に表示する。
【００２４】
次に、表示装置の動作について説明する。
図３は、この発明の実施の形態１による表示装置の動作を示すフローチャートである。
情報取得部１は、電力系統監視システム側から系統情報および設備状態情報を取得する（ステップＳＴ１）。異常／故障検出部２は、ステップＳＴ１で取得された設備状態情報を参照し、エラー情報が送信されているか否か検知を行う（ステップＳＴ２）。エラー情報が送信されていない場合には（ステップＳＴ２；ＮＯ）、その旨を系統表示処理部７に通知し、系統表示処理部７がステップＳＴ１で取得された系統情報を参照して電力系統図を描画する表示処理を行い、描画した電力系統図を表示部８に表示する（ステップＳＴ３）。
【００２５】
一方、エラー情報が送信されている場合（ステップＳＴ２；ＹＥＳ）、異常／故障検出部２はエラー情報に含まれる位置情報に基づいて異常または故障が発生している設備の特定を行う（ステップＳＴ４）。異常／故障強調表示処理部３は、ステップＳＴ４で特定された設備を示す設備シンボルに対してスポットライト表示を描画する表示処理を行う（ステップＳＴ５）。系統表示処理部７は、ステップＳＴ１で取得された系統情報を参照して電力系統図を描画すると共に、ステップＳＴ５のスポットライト表示処理に基づいて該当する設備シンボルにスポットライト表示を反映させる表示処理を行い、描画した電力系統図を表示部８に表示する（ステップＳＴ６）。
【００２６】
次に、操作検知部４が設備シンボルの選択指示が入力されたか否か判定を行う（ステップＳＴ７）。設備シンボルの選択指示が入力されていない場合（ステップＳＴ７；ＮＯ）、ステップＳＴ１の処理に戻り、上述した処理を繰り返す。一方、設備シンボルの選択指示が入力された場合（ステップＳＴ７；ＹＥＳ）、リング表示処理部５は選択指示に対応した設備シンボルの外周にリング表示を描画する表示処理を行う（ステップＳＴ８）。操作領域表示処理部６は、ステップＳＴ８で表示処理が行われた設備シンボルに対して操作領域を表示する表示処理を行う（ステップＳＴ９）。系統表示処理部７は、ステップＳＴ３またはＳＴ６で表示した電力系統図に、ステップＳＴ８およびステップＳＴ９の表示処理を反映させる処理を行い（ステップＳＴ１０）、表示部８に表示した電力系統図の更新を行う（ステップＳＴ１１）。その後、フローはステップＳＴ１の処理に戻り、上述した処理を繰り返す。
【００２７】
図１で示した表示例を図３で示したフローチャートに基づいて説明すると、ステップＳＴ６の処理では図１の表示例Ｘが表示される。また、ステップＳＴ３の電力系統図に対してステップＳＴ８の処理が行われた場合には、図１の表示例Ｙが表示される。さらに、ステップＳＴ６の電力系統図に対してステップＳＴ８の処理が行われた場合には、表示例Ｘおよび表示例Ｙの組み合わせ、あるいは表示例Ｚが表示される。
【００２８】
なお、上述した構成では、異常または故障が発生した設備を示す設備シンボルにスポットライト表示を行う例を示したが、異常／故障強調表示処理部３が当該スポットライト表示に換えて、該当する設備シンボルにフリッカ表現を適用して点滅させる表示を行うように構成してもよい。
電力系統図に多くの設備シンボルが表示されている場合には、スポットライト表示により大きな面積の領域に対して色変えを行うと、スポットライト表示が重複して表示されるなどの不具合が発生するが、設備シンボルにフリッカ表現を適用する場合には、他の設備シンボルの異常または故障の発生を示す表示に影響を与えることがなく、視認し易い電力系統図を表示することができる。
【００２９】
以上のように、この実施の形態１によれば、電力系統図の背景色に対して表示色を変化させるリング表示およびスポットライト表示を用いるように構成したので、設備シンボルの色変え、あるいは設備シンボルの点滅のみの場合と比較して、対象となる設備シンボルを見失いにくいという効果がある。
【００３０】
また、この実施の形態１によれば、リング表示の中心部分は背景色が変化しないため、当該リング表示が表示されている設備シンボルとスポットライト表示が表示されている設備シンボルとを明確に判別することができる。
【００３１】
実施の形態２．
この実施の形態２では、電力系統図上において複数の設備シンボルが近接している場合に、視認し易いリング表示を行う構成を示す。
図４は、この発明の実施の形態２による表示装置の構成を示すブロック図である。この実施の形態２では、図２で示した実施の形態１の表示装置１０にリング表示位置決定部９を追加して設けている。なお、以下では、実施の形態１による表示装置１０の構成要素と同一または相当する部分には実施の形態１で使用した符号と同一の符号を付して説明を省略または簡略化する。
【００３２】
リング表示位置決定部９は、操作検知部４を介して設備シンボルの選択指示が入力された場合に、選択された設備シンボルに対して表示するリング表示の表示位置を決定する。具体的には、選択された設備シンボルを示す画像の重心点と、リング表示の環の中心とが一致する位置を、リング表示の表示位置と決定する。決定したリング表示の表示位置は、リング表示処理部５に出力される。リング表示処理部５は、入力された表示位置においてリング表示を描画する表示処理を行う。なお、ここで設備シンボルを示す画像とは、図１において各設備シンボル２２を示す円形、三角形および四角形などである。
【００３３】
設備シンボルを示す画像の重心点の取得方法は種々構成可能であるが、あらかじめ各設備シンボルを示す画像の重心位置を示す重心点情報を作成しておく、あるいはリング表示位置決定部９が選択された設備シンボルを示す画像を認識して重心点を算出するなどの方法が挙げられる。重心点情報をあらかじめ作成しておく場合には、電力系統監視システム側から送られる設備状態情報に当該重心点情報を付加しておき、リング表示位置決定部９が選択された設備シンボルを示す画像に対応した重心点情報を取得する。また、リング表示位置決定部９が重心点を算出する場合には、選択された設備シンボルを示す画像の形状を認識し、公知の重心算出方法を適用して重心点を決定する。なお、図４で示したブロック図、および以下の図５で示すフローチャートでは、電力系統監視システム側から重心点情報が入力される場合を例に示している。
【００３４】
次に、実施の形態２の表示装置１０のリング表示の表示処理を図５のフローチャートを参照しながら説明する。また、以下では実施の形態１に係る表示装置１０と同一のステップには図３で使用した符号と同一の符号を付し、説明を省略または簡略化する。
ステップＳＴ７において設備シンボルの選択指示が入力されたと判定された場合（ステップＳＴ７；ＹＥＳ）、リング表示位置決定部９は選択された設備シンボルを示す画像の重心点と、リング表示の環の中心とが一致する位置をリング表示の表示位置と決定する（ステップＳＴ２１）。リング表示処理部５は、ステップＳＴ２１で決定された表示位置においてリング表示を描画する表示処理を行う（ステップＳＴ２２）。その後、上述したステップＳＴ９からステップＳＴ１１の処理が行われる。
【００３５】
以上のように、この実施の形態２によれば、電力系統図上に表示される設備シンボル画像の重心点と、リング表示の環の中心とが一致するようにリング表示の表示位置を決定するリング表示位置決定部９を備え、リング表示処理部５が決定されたリング表示の表示位置に基づいてリング表示を行うように構成したので、電力系統図において複数の設備シンボルが近接している場合にも、リング表示の環の中心に位置する設備シンボルが選択された設備シンボルであると容易に判断することができる。これにより、選択された設備シンボルの見誤りを誘因しない表現で表示することができる。
【００３６】
実施の形態３．
この実施の形態３では、電力系統図上において１つの設備シンボルにスポットライト表示とリング表示を同時に行う場合に、より視認し易い表示処理を行う構成を示す。
図６はこの発明の実施の形態３による表示装置の表示例を示す図であり、図６（ａ）は電力系統図の表示例を示し、図６（ｂ）はスポットライト表示およびリング表示の構成を詳細に示している。
【００３７】
まず図６では、電力系統図２０において、１つの設備シンボル２２ａに対してスポットライト表示２５およびリング表示２４´を同時に行った場合の表示処理を示している。スポットライト表示２５は、実施の形態１または実施の形態２と同様に表示される。一方、リング表示２４´は、当該リング表示２４´の内縁部２４ａ´とスポットライト表示２５の外周２５ｂとの間に背景領域２６が形成されるように内縁部２４ａ´の位置が調整されている。リング表示２４´の内縁部２４ａ´の直径２４ｄ´（以下、リング表示の内径と称する）と、スポットライト表示２５の直径２５ａとの間には以下の関係（１）が成立する。
（１）：スポットライト表示２５の直径２５ａ＜リング表示２４の内径２４ｄ´
なお、リング表示２４´の内径２４ｄ´は、上記関係（１）を満たし、操作者が視認可能な程度背景領域２６が表示されればよく、適宜調整可能である。
【００３８】
一方、リング表示２４´の外縁部２４ｂ´は、リング表示２４の内縁部２４ａ´の位置変更に伴って外周側に向けて拡大してもよいし、変更を行わずに固定してリング幅２４ｃ´を縮小させてもよい。
【００３９】
なお、リング表示２４´の内径２４ｄ´を、スポットライト表示２５の直径２５ａより大きく設定する処理は、１つの設備シンボルに対してスポットライト表示とリング表示を同時に行う場合のみであって、１つの設備シンボルに対してリング表示のみを行う場合には、リング表示２４´の内径２４´を変更する表示処理は行わず、実施の形態１または実施の形態２と同様の設定での表示処理が行われる。
【００４０】
図７は、この発明の実施の形態３による表示装置の構成を示すブロック図である。この実施の形態３では、図２で示した実施の形態１の表示装置１０にリング内径決定部１１を追加して設けている。なお、以下では、実施の形態１による表示装置１０の構成要素と同一または相当する部分には実施の形態１で使用した符号と同一の符号を付して説明を省略または簡略化する。
リング内径決定部１１は、操作検知部４を介して設備シンボルの選択指示が入力された場合に、異常／故障検出部２から入力される異常または故障を検知した設備を特定した特定情報を参照し、選択された設備シンボルが異常または故障と検知された設備であるか確認する、選択された設備シンボルが異常または故障を検知された設備であった場合に、選択された設備シンボルを示すためにリング表示の内径を、上述した関係（１）を満たす値に設定する。リング表示処理部５は、リング内径決定部１１が設定したリング表示の内径を有するリング表示を描画する。
【００４１】
系統表示処理部７は、異常／故障強調表示処理部３およびリング表示処理部５から入力される表示処理情報を参照して、同一の設備シンボルに対してスポットライト表示およびリング表示を行う場合に、スポットライト表示の中心とリング表示の中心とを一致させて表示する表示制御を行う。なお、スポットライト表示の中心とリング表示の中心とを一致させる処理は、異常／故障強調表示処理部３およびリング表示処理部５でそれぞれ行うように構成してもよい。
【００４２】
次に、実施の形態３の表示装置１０のリング表示の表示処理を図８のフローチャートを参照しながら説明する。また、以下では実施の形態１に係る表示装置１０と同一のステップには図３で使用した符号と同一の符号を付し、説明を省略または簡略化する。
ステップＳＴ７において設備シンボルの選択指示が入力されたと判定された場合（ステップＳＴ７；ＹＥＳ）、リング内径決定部１１は異常／故障検出部２から入力される特定情報を参照し、異常または故障が検知された設備が選択指示において選択された設備と
同一であるか否か判定を行う（ステップＳＴ３１）。
【００４３】
異常または故障が検知された設備が、選択指示において選択された設備と同一でない場合（ステップＳＴ３１；ＮＯ）、ステップＳＴ８の処理に進み、リング表示処理部５が実施の形態１または実施の形態２と同様の通常のリング表示処理を実行する（ステップＳＴ８）。一方、異常または故障が検知された設備が、選択指示において選択された設備と同一の場合、リング内径決定部１１はリング表示の内径を上述した関係（１）を満たす値に設定する（ステップＳＴ３２）。リング表示処理部５は、ステップＳＴ３２で決定された内径を有するリング表示を行う表示処理を実行する（ステップＳＴ３３）。その後、実施の形態１で示したステップＳＴ９からステップＳＴ１１と同一の処理が行われる。
なお、系統表示処理部７がスポットライト表示の中心とリング表示の中心とを一致させる表示処理を行う場合には、ステップＳＴ１０において当該表示処理を実行する。
【００４４】
以上のように、この実施の形態３によれば、電力系統図上において１つの設備シンボルにスポットライト表示とリング表示を同時に行う場合に、スポットライト表示とリング表示との間に背景領域が形成されるようにリング表示の内径を決定するリング内径決定部１１を備えるように構成したので、１つの設備シンボルにおいてリング表示とスポットライト表示とが干渉するのを防ぐことができる。これにより、スポットライト表現が行われているか否かの判別を容易に行うことができ、異常または故障が検知された設備シンボルを見誤るのを防止することができる。
【００４５】
なお、上述した実施の形態３では、実施の形態１で示した構成にリング内径決定部１１を追加して設ける構成を示したが、実施の形態２で示した構成にリング内径決定部１１を追加して設けてもよい。
【００４６】
実施の形態４．
上述した実施の形態３では、電力系統図上において１つの設備シンボルにスポットライト表示とリング表示を同時に行う場合に、リング表示がスポットライト表示と干渉するのを防止する構成を示したが、この実施の形態４では、スポットライト表示された設備シンボルと異なる設備シンボルを選択してリング表示する場合に、より視認し易い表示処理を行う構成を示す。
電力系統制御システムにおいて、例えばある電力系統において近隣で局所的に停電が発生し、ある設備に対して異常または故障が検知された場合に、当該異常または故障が検知された設備を示す設備シンボルに対してスポットライト表示を適用して強調表示を行う。一方、操作者は電力供給を復旧させるため、電力系統の状態を観察し、異常が検知された設備に対して隣に位置する系統線上の設備を選択して制御操作を行う場合が存在する。実施の形態１の図１で示した表示例を用いて説明すると、設備シンボル２２ｂに異常が検知されたため、当該設備シンボル２２ｂに対して隣に位置する系統線上の設備シンボル２２ａを選択して制御操作などを行い、復旧処理を行う。
【００４７】
スポットライト表示とリング表示が異なる設備シンボルに対して表示する場合に、リング表示の内径が大きい場合には当該リング表示に多くの設備シンボルが含まれるため、どの設備シンボルが選択されているか視認しにくくなる。そのため、スポットライト表示とリング表示が同一の設備シンボルに対して表示されない場合には、リング表示の内径を必要以上に大きく設定せず、視認し易いリング表示を行う構成を示す。
【００４８】
実施の形態４による表示装置の構成は実施の形態３で示した図７と同一であるため、記載を書略する。
リング内径決定部１１は、操作検知部４を介して設備シンボルの選択指示が入力された場合に、異常／故障検出部２から入力される異常または故障を検知した設備の特定情報を参照し、選択された設備シンボルが異常または故障を検知された設備であるか確認を行う。選択された設備シンボルが異常または故障を検知された設備でなかった場合に、リング内径決定部１１は選択された設備シンボルを示すために表示するリング表示の内径を以下の関係（２）を満たすように設定する。
（２）リング表示の内径≦スポットライト表示の直径
なお、リング表示の内径は、上記関係（２）を満たし、リング表示内部に操作者が視認可能な程度の背景領域が表示されればよく、適宜調整可能である。
【００４９】
次に、実施の形態４の表示装置１０のリング表示の表示処理を図９のフローチャートを参照しながら説明する。また、以下では実施の形態３に係る表示装置１０と同一のステップには図９で使用した符号と同一の符号を付し、説明を省略または簡略化する。
ステップＳＴ７において設備シンボルの選択指示が入力されたと判定された場合（ステップＳＴ７；ＹＥＳ）、リング内径決定部１１は異常／故障検出部２から入力される特定情報を参照し、異常または故障が検知された設備が選択指示において選択された設備と
同一であるか否か判定を行う（ステップＳＴ３１）。
【００５０】
異常または故障が検知された設備が、選択指示において選択された設備と同一でない場合（ステップＳＴ３１；ＮＯ）、リング内径決定部１１はリング表示の内径を上述した関係（２）を満たす値に設定する（ステップＳＴ４１）。なお、異常／故障が検知された設備が、入力操作で指定された設備と同一である場合（ステップＳＴ３１；ＹＥＳ）には、実施の形態３で示したステップＳＴ３２のリング表示の内径を設定する処理を行う。その後、リング表示処理部５は、ステップＳＴ４１またはステップＳＴ３２で決定された内径を有するリング表示を行う表示処理を実行する（ステップＳＴ３３）。その後、実施の形態１で示したステップＳＴ９からステップＳＴ１１と同一の処理が行われる。
【００５１】
以上のように、この実施の形態４によれば、電力系統図上においてスポットライト表示されている設備シンボルとは異なる設備シンボルに対してリング表示を行う場合に、リング表示の内径をスポットライト表示の直径以下となる値に決定するリング内径決定部１１を備えるように構成したので、スポットライト表示が適用されていない設備シンボルに対して、より小さい径のリング表示を用いて囲むことができ、複数の設備シンボルが表示されている場合にも、選択中の設備シンボルを容易に特定することができる。
【００５２】
実施の形態５．
この実施の形態５では、実施の形態３および実施の形態４で示したリング表示の内径の設定を行う処理に伴い、リング表示のリング幅を一定に保つ表示処理を行う構成を示す。
図１０は、この発明の実施の形態５による表示装置の表示例を示す図である。
図１０（ａ）は、設備シンボル２２ａが示す設備ＡＭにおいて異常または故障が検知され、当該設備ＡＭを示す設備シンボル２２ａが選択されてリング表示が行われている場合を示している。一方、図１０（ｂ）は、異常または故障が検知された設備は存在せず、設備シンボル２２ｄが示す設備ＡＯが選択されている場合を示している。
【００５３】
図１０（ａ）と図１０（ｂ）を比較すると、リング表示２４´の内径Ｐａと、リング表示２４´´の内径Ｐｂは、「Ｐａ＞Ｐｂ」の関係を有し、リング表示２４´の外縁部２４ｂ´の直径Ｑａ（以下、リング表示の外径と称する）と、リング表示２４´´の外縁部２４ｂ´´の直径Ｑｂ（以下、リング表示の外径と称する）は「Ｑａ＞Ｑｂ」の関係を有する。リング表示２４´のリング幅Ｒａとリング表示２４´´のリング幅Ｒｂは「Ｒａ＝Ｒｂ」の関係を有している。これらの関係から分かるように、この実施の形態５ではそれぞれ異なるリング表示の内径に合わせてリング表示の外径を調整し、リング幅が同一となるリング表示を行う。
【００５４】
より詳細に説明すると、図１０（ａ）の例では、スポットライト表示２５が行われた設備シンボル２２ａにリング表示２４´を行う際には、当該リング表示２４´の内径Ｒａをスポットライト表示２５の直径より大きく設定し、スポットライト表示２５とリング表示２４´との間に背景領域２６を表示する。この大きく設定されたリング表示２４´の内径Ｐａに対して一定のリング幅Ｒａが加算されるため、リング表示２４´の外径Ｑａも大きくなるように設定される。
【００５５】
一方、図１０（ｂ）の例では、設備シンボル２２ｄにリング表示のみを行うため、リング表示２４´´の内径Ｐｂを図１０（ａ）で示したスポットライト表示２５の直径と同一の値あるいはスポットライト表示２５の直径よりも小さい値に設定する。この値に設定されたリング表示２４´´の内径Ｐｂに対して一定のリング幅Ｒｂ（Ｒａ＝Ｒｂの関係を満たす）が加算させるため、リング表示２４´´の外径Ｑｂも図１０（ｂ）と比較して小さくなるように設定される。
【００５６】
図１１は、この発明の実施の形態５による表示装置の構成を示すブロック図である。この実施の形態５では、図７で示した実施の形態３の表示装置１０にリング外径決定部１２を追加して設けている。なお、以下では、実施の形態３による表示装置１０の構成要素と同一または相当する部分には実施の形態３で使用した符号と同一の符号を付して説明を省略または簡略化する。
リング外径決定部１２は、リング内径決定部１１が設定したリング表示の内径に対して、あらかじめ設定された一定のリング幅を加算してリング表示の外径を決定する。すなわち、リング表示の外径と内径との差分が常に一定となるようにリング表示の外径を設定する。
【００５７】
次に、実施の形態５の表示装置１０のリング表示の表示処理を図１２のフローチャートを参照しながら説明する。また、以下では実施の形態４に係る表示装置１０と同一のステップには図９で使用した符号と同一の符号を付し、説明を省略または簡略化する。
リング外径決定部１２は、ステップＳＴ３２またはステップＳＴ４１で決定されたリング表示の内径に、一定のリング幅を加算してリング表示の外径を決定する（ステップＳＴ５１）。リング表示処理部５は、ステップＳＴ３２またはステップＳＴ４１で決定されたリング表示の内径と、ステップＳＴ５１で決定されたリング表示の外径とを有するリング表示を行う表示処理を実行する（ステップＳＴ５２）。その後、実施の形態１で示したステップＳＴ９からステップＳＴ１１と同一の処理が行われる。
【００５８】
以上のように、この実施の形態５によれば、リング内径決定部１１が決定したリング表示の内径に一定のリング幅を加算してリング表示の外径を決定するリング外径決定部１２を備えるように構成したので、リング表示の内径の大小に関わらずに同一のリング幅を有するリング表示を行うことができ、リング表示の内径が異なる場合にも設備シンボルの選択を示す同一の表示要素であると容易に判断することができる。
【００５９】
実施の形態６．
この実施の形態６では、設備シンボルが隣接して配置されている場合に、一方の設備シンボルに付されたリング表示と、他方の設備シンボルに付されたスポットライト表示とが重複する場合に、リング表示およびスポットライト表示をそれぞれ視認し易く表示する表示処理を行う構成を示す。
図１３は、この発明の実施の形態６による表示装置の表示例を示す図である。
図１３（ａ）では、リング表示２４とスポットライト表示２５とが重複して表示される場合に、当該重複領域２７において、リング表示２４の色調とスポットライト表示２５の色調との中間色を示す色調で表示する例を示している。
また、図１３（ｂ）では、リング表示２４とスポットライト表示２５とが重複して表示される場合に、重複する領域ではスポットライト表示２５を優先してリング表示２４を行わない場合を示している。さらに、スポットライト表示２５とリング表示２４が接触する一定幅の領域２８に背景を表示することにより、リング表示２４とスポットライト表示２５との弁別を明確にしている。
【００６０】
図１４は、この発明の実施の形態６による表示装置の構成を示すブロック図である。この実施の形態６では、図２で示した実施の形態１の表示装置１０のリング表示処理部５に重複領域調整部１３を追加して設けている。なお、以下では実施の形態１による表示装置１０の構成要素と同一または相当する部分には実施の形態１で使用した符号と同一の符号を付して説明を省略または簡略化する。
【００６１】
リング表示処理部５の重複領域調整部１３は、操作検知部４を介して入力された設備シンボルの選択指示と、異常／故障検出部２から入力される異常または故障を検知した設備を特定した特定情報とを参照し、選択された設備シンボルと異常または故障が検知された設備シンボルとが同一でなく、且つ双方の設備シンボルの離間距離があらかじめ設定した閾値以下であって、選択された設備シンボルに付すリング表示と異常または故障が検知された設備シンボルに付すスポットライト表示とが重複すると判断される場合に、重複領域の色調を変更する調整、あるいは重複領域においてリング表示を退避させる調整を行う。リング表示処理部５は、重複領域調整部１３の調整結果に基づいて、重複領域において色調を変更した表示処理、あるいは重複領域においてリング表示を退避させた表示処理を加えて、リング表示の表示処理を行う。
【００６２】
次に、実施の形態６の表示装置１０のリング表示の表示処理を図１５のフローチャートを参照しながら説明する。なお、以下では実施の形態１に係る表示装置１０と同一のステップには図３で使用した符号と同一の符号を付し、説明を省略または簡略化する。
ステップＳＴ７において操作検知部４が入力操作を検知した場合（ステップＳＴ７；ＹＥＳ）、リング表示処理部５の重複領域調整部１３は異常／故障検出部２から異常または故障を検知した設備を特定した特定情報が入力されているか否か判定を行う（ステップＳＴ６１）。特定情報が入力されている場合（ステップＳＴ６１；ＹＥＳ）、重複領域調整部１３は当該特定情報と、ステップＳＴ７の操作情報とを参照し、選択された設備シンボルと、異常または故障が検知された設備シンボルとが同一でなく、且つ各設備シンボル間の離間距離が閾値以下であるか否か判定を行う（ステップＳＴ６２）。
【００６３】
選択された設備シンボルと異常または故障が検知された設備シンボルが同一でなく、且つ各設備シンボル間の離間距離が閾値以下である場合（ステップＳＴ６２；ＹＥＳ）、重複領域調整部１３は、重複領域の表示を調整する処理を行う（ステップＳＴ６３）。その後、リング表示処理部５は、ステップＳＴ６３の表示調整に基づいたリング表示およびスポットライト表示を行う表示処理を行う（ステップＳＴ６４）。
【００６４】
一方、異常／故障を検知した設備を特定した情報が入力されていない場合（ステップＳＴ６１；ＮＯ）、選択された設備シンボルと異常または故障が検知された設備シンボルが同一である、または各設備シンボル間の離間距離が閾値より大きい場合（ステップＳＴ６２；ＮＯ）、リング表示処理部５は、通常の処理であって、重複領域の調整を行わない通常のリング表示処理を行う（ステップＳＴ８）。ステップＳＴ６４またはステップＳＴ８のリング表示処理が行われた後、上述したステップＳＴ９からステップＳＴ１１と同一の処理が行われる。
【００６５】
以上のように、この実施の形態６によれば、スポットライト表示とリング表示が重複すると判断された場合において、重複領域において色調の調整、またはリング表示を退避させる調整を行う重複領域調整部１３を備えるように構成したので、スポットライト表示とリング表示が重複する領域が発生した場合にも、各表示を容易に弁別可能な表示を行うことができる。
【００６６】
なお、上述した実施の形態６では、実施の形態１の構成において重複領域調整部１３を追加して設ける構成を示したが、実施の形態２から実施の形態５の構成に対しても適用可能である。
【００６７】
また、上述した実施の形態１から実施の形態６では、リング表示のリング形状およびスポットライト表示のスポット形状を円形とする構成を示したが、矩形や三角形またはそれ以外の形状に変形して構成してもよい。
【００６８】
また、上述した実施の形態１から実施の形態６では、電力系統図の背景を薄いグレーで表示し、リング表示を濃いグレーで表示し、スポットライト表示を白色で示す構成を例に示したが、各表示色は適宜変更可能である。
【００６９】
なお、本願発明はその発明の範囲内において、各実施の形態の自由な組み合わせ、あるいは各実施の形態の任意の構成要素の変形、もしくは各実施の形態において任意の構成要素の省略が可能である。
【符号の説明】
【００７０】
１  情報取得部、２  異常／故障検出部、３  異常／故障強調表示処理部、４  操作検知部、５  リング表示処理部、６  操作領域表示処理部、７  系統表示処理部、８  表示部、９  リング表示位置決定部、１０  表示装置、１１  リング内径決定部、１２  リング外径決定部、１３  重複領域調整部。
【図１】
2014109804.tif 000003
【図２】
2014109804.tif 000004
【図３】
2014109804.tif 000005
【図４】
2014109804.tif 000006
【図５】
2014109804.tif 000007
【図６】
2014109804.tif 000008
【図７】
2014109804.tif 000009
【図８】
2014109804.tif 000010
【図９】
2014109804.tif 000011
【図１０】
2014109804.tif 000012
【図１１】
2014109804.tif 000013
【図１２】
2014109804.tif 000014
【図１３】
2014109804.tif 000015
【図１４】
2014109804.tif 000016
【図１５】
2014109804.tif 000017
【図１６】
2014109804.tif 000018